(57)【特許請求の範囲】
【請求項１】
縦切込みが形成されたエプロン本体と、
前記エプロン本体の前記縦切込みに挿入されるボタン部、及び、前記ボタン部に接続され、当該ボタン部を介して前記エプロン本体に取り付けられるポケット部を有するポケットと、
を備え、
前記ポケットの前記ボタン部と前記ポケット部とは、一体に成形されている、ポケット取外式エプロン。
【請求項２】
前記ポケット部は、前記ボタン部を保持する後壁と、前記後壁に対向し当該後壁との間で受け留め空間を形成する前壁と、を有し、
前記後壁の前記ボタン部を保持する部分は、当該後壁の他の部分よりも前記前壁から離間するように凹んでいる、請求項１に記載のポケット取外式エプロン。
【請求項３】
前記ポケットは、前記ボタン部及び前記ポケット部と一体に成形され、前記ボタン部と前記ポケット部の前記後壁とを連接する連接片をさらに有し、
前記ボタン部が前記エプロン本体の前記縦切込みを通過した位置まで挿入されると、前記ボタン部と前記後壁との間に前記エプロン本体が挟まれ、且つ、前記連接片が前記縦切込み内に位置する、請求項２に記載のポケット取外式エプロン。
【請求項４】
前記後壁のうちの前記ボタン部と対面する領域の一部が繰り抜かれて繰抜部として形成されていて、
前記連接片は、前記ボタン部の前記繰抜部に対面する位置まで延びて当該ボタン部と接続している、請求項３に記載のポケット取外式エプロン。
【請求項５】
前記連接片は、前記繰抜部を横断して両端部で後壁に接続している、請求項４に記載のポケット取外式エプロン。
【請求項６】
前記ポケットは、横方向に間隔を空けて配置された少なくとも２つのボタン部を有する、請求項１乃至５のいずれか一項に記載のポケット取外式エプロン。
【請求項７】
前記エプロン本体は、当該エプロン本体の表面及び裏面のうちの表面側に付与されたＳＲ加工剤を含み、
前記エプロン本体の表面は、前記エプロン本体の裏面よりも親水性が高い、請求項１乃至６のいずれか一項に記載のポケット取外式エプロン。
【請求項８】
前記エプロン本体は、表生地と裏生地とを有し、
前記表生地の表面に、ＳＲ加工剤が付与されていて、
前記裏生地の裏面に、撥水処理が施されている、
請求項１乃至７のいずれか一項に記載のポケット取外式エプロン。
【発明の詳細な説明】
【技術分野】
【０００１】
本発明は、ポケットを取り外し自在なポケット取外式エプロンに関する。
【背景技術】
【０００２】
乳幼児の首に掛けられて乳幼児の前面を食事による汚れから保護するエプロンが利用に供されている。乳幼児の食事中には、保護者からの補助を必要とされるだけでなく食べこぼしも多く、乳幼児の食事には相当な手間がかかる。そこで、昨今では、乳幼児の食べこぼしを受け止めて保護者の負担を和らげるべく、ポケット付きのエプロンが注目を集めている（例えば特許文献１参照）。典型的なポケット付きエプロンは、エプロン本体とポケットとを肉厚のある軟質樹脂の一体部品として構成される。
【０００３】
しかしながら、エプロン本体とポケットとを肉厚のある軟質樹脂で一体部品とした場合、持ち運びが容易ではない。そこで、ポケットをエプロン本体に着脱自在に取り付けたポケット取外式エプロンの開発も進められている。
【先行技術文献】
【特許文献】
【０００４】
【特許文献１】特開２００５−２０６９９９号公報
【発明の開示】
【発明が解決しようとする課題】
【０００５】
ポケットがエプロン本体から分離可能な場合、エプロン本体として肉厚のある軟質樹脂ではなくさらに軟質な素材を採用することも可能となる。しかしながら、エプロン本体を軟質な素材にて構成した場合、乳幼児の首に掛けられるエプロン本体でポケットを支えるのは容易ではない。
【０００６】
従来において、エプロン本体が肉厚のある軟質樹脂からなる場合、ポケットに設けられた係止突起を、エプロン本体に設けられた係止孔に嵌合させて、ポケットをエプロン本体に取り付けていた。しかしながら、エプロン本体が軟質な素材からなる場合には、エプロン本体の係止孔がポケットの自重で変形してしまい、このような構造ではうまくポケットを支えられない。
【０００７】
本発明はこのような点を考慮してなされたものであり、エプロン本体でポケットの自重を安定して支えることが可能なポケット取外式エプロンを提供することを目的とする。
【課題を解決するための手段】
【０００８】
本発明によるポケット取外式エプロンは、縦切込みが形成されたエプロン本体と、
前記エプロン本体の前記縦切込みに挿入されるボタン部、及び、前記ボタン部に接続され、当該ボタン部を介して前記エプロン本体に取り付けられるポケット部を有するポケットと、を備え、
前記ポケットの前記ボタン部と前記ポケット部とは、一体に成形されている。
【０００９】
本発明によるポケット取外式エプロンにおいて、前記ポケット部は、前記ボタン部を保持する後壁と、前記後壁に対向し当該後壁との間で受け留め空間を形成する前壁と、を有し、前記後壁の前記ボタン部を保持する部分は、当該後壁の他の部分よりも前記前壁から離間するように凹んでいてもよい。
【００１０】
本発明によるポケット取外式エプロンにおいて、前記ポケットは、前記ボタン部及び前記ポケット部と一体に成形され、前記ボタン部と前記ポケット部の前記後壁とを連接する連接片をさらに有し、前記ボタン部が前記エプロン本体の前記縦切込みを通過した位置まで挿入されると、前記ボタン部と前記後壁との間に前記エプロン本体が挟まれ、且つ、前記連接片が前記縦切込み内に位置してもよい。
【００１１】
本発明によるポケット取外式エプロンにおいて、前記後壁のうちの前記ボタン部と対面する領域の一部が繰り抜かれて繰抜部として形成されていて、前記連接片は、前記ボタン部の前記繰抜部に対面する位置まで延びて当該ボタン部と接続していてもよい。
【００１２】
本発明によるポケット取外式エプロンにおいて、前記連接片は、前記繰抜部を横断して両端部で後壁に接続していてもよい。
【００１３】
本発明によるポケット取外式エプロンにおいて、前記ポケットは、横方向に間隔を空けて配置された少なくとも２つのボタン部を有してもよい。
【００１４】
本発明によるポケット取外式エプロンにおいて、前記エプロン本体は、当該エプロン本体の表面及び裏面のうちの表面側に付与されたＳＲ加工剤を含み、前記エプロン本体の表面は、前記エプロン本体の裏面よりも親水性が高くてもよい。
【００１５】
本発明によるポケット取外式エプロンにおいて、前記エプロン本体は、表生地と裏生地とを有し、前記表生地の表面に、ＳＲ加工剤が付与されていて、前記裏生地の裏面に、撥水処理が施されていてもよい。
【００１６】
本発明による別のポケット取外式エプロンは、エプロン本体と、前記エプロン本体に取り外し自在に取り付けられたポケットと、を備え、前記エプロン本体は、表生地と裏生地とを有し、前記表生地の表面に、ＳＲ加工剤が付与され、前記ＳＲ加工剤と前記表生地の表面とにより構成される前記エプロン本体の表面は、前記エプロン本体の裏面よりも親水性が高い。
【発明の効果】
【００１７】
本発明によるポケット取外式エプロンによれば、エプロン本体の縦切込みにポケットのボタン部を挿入することで、エプロン本体にポケットを着脱自在に取り付ける構造を採用している。ボタンを用いる取り付け構造は、エプロン本体が柔軟な素材からなる場合であっても、エプロン本体でポケットの自重を安定して支えることに適している。とりわけ、エプロン本体に形成された切り込みは、縦切込みである。縦切込みによれば、エプロン本体の縦方向への剛性を大きく低減することなく、エプロン本体にポケットを取り付けることができる。また、ボタン部は、ポケット部と一体に成形されているため、高い剛性を保ちつつポケット部に保持される。これらのことから、エプロン本体の縦切込みに、ポケット部と一体のボタン部を挿入する構造を採用することで、エプロン本体でポケットの自重を十分に安定して支えることが可能となる。また、ボタン部がポケット部と一体に成形されているため、ボタンが外れてなくしてしまうおそれもない。
【００１８】
また、本発明による別のポケット取外式エプロンによれば、エプロン本体の表面にＳＲ加工剤が付与されることにより、乳幼児の食事中にエプロン本体の表面に油を含んだ食品が付着しても容易に洗い落とすことができる。また、水分を多く含んだ飲料をこぼした場合であっても、親水性を示すエプロン本体の表面から吸収することができる。その一方で、エプロン本体の裏面は表面よりも親水性が低いことから、吸収した飲料がエプロン本体の裏面から乳幼児の衣服に染み出すことは有効に妨げられる。このため、本発明によるポケット取外式エプロンは、乳幼児の食事中に食品による汚れから保護する用途に適している。
一方、非食事中の日常の活動においては、ポケットが取り外されたエプロン本体がスタイ乃至よだれ掛けとして機能する。この場合、乳幼児の唾液がエプロン本体に付着しても、親水性を示すエプロン本体の表面から吸収することができる。その一方で、エプロン本体の裏面は表面よりも親水性が低いことから、吸収した唾液がエプロン本体の裏面から乳幼児の衣服に染み出すことは有効に妨げられる。このため、本発明によるポケット取外式エプロンは、日常の活動中に唾液による汚れから保護する用途にも適している。
これらの結果、本実施の形態のポケット取外式エプロンは、食事中のエプロンとしても、非食事中のスタイ乃至よだれかけとしても、両方の用途に適用することが可能である。
【図面の簡単な説明】
【００１９】
【図１】一実施の形態によるポケット取外式エプロンを示す斜視図。
【図２】図１に示すポケット取外式エプロンを構成するエプロン本体を示す平面図。
【図３】図２に示す線III−IIIに沿ったエプロン本体の断面図。
【図４】図１に示すポケット取外式エプロンを構成するポケットを示す平面図。
【図５】図４に示すポケットの正面図。
【図６】図５に示すポケットのボタン部を拡大して示す斜視図。
【図７】図６に示すポケットのボタン部を前面側から示す正面図。
【図８】図６に示すポケットのボタン部を背面側から示す背面図。
【図９】図６に示す線ＩＸ−ＩＸに沿ったポケットの断面をエプロン本体と共に示す断面図。
【発明を実施するための形態】
【００２０】
以下、添付図面を参照して本発明の一実施の形態について説明する。なお、本件明細書に添付する図面においては、図示と理解のしやすさの便宜上、適宜縮尺および縦横の寸法比等を、実物のそれらから変更し誇張してある。図１乃至図９は、本実施の形態によるポケット取外式エプロン１を説明するための図である。このうち、図１は、本実施の形態によるポケット取外式エプロン１を示す斜視図である。
【００２１】
ポケット取外式エプロン１は、乳幼児の首に掛けられて乳幼児の前面を汚れから保護する前面保護カバーである。図１に示すポケット取外式エプロン１は、エプロン本体２と、エプロン本体２に着脱自在に取り付けられたポケット３と、を有している。典型的には、乳幼児の食事中に、エプロン本体２で乳幼児の前面を食事による汚れから保護しつつ、ポケット３で食べこぼしまでも受け留めるようになっている。その一方で、エプロン本体２からポケット３を取り外せば、非食事中の日常の活動においてスタイ乃至よだれ掛けとして使用することが可能である。
【００２２】
ポケット３を取り外した状態でエプロン本体２がスタイとして機能する場合、乳幼児が自由に動き回れるよう、エプロン本体２は柔軟な素材で構成されているのがよい。ただし、エプロン本体２が柔軟な素材からなる場合、エプロン本体２でポケット３を安定して支えるのは容易ではない。そこで、本実施の形態によるポケット取外式エプロン１は、エプロン本体２をポケット３に安定して取り付けるための工夫がなされている。以下このようなポケット取外式エプロン１を構成する各構成部品について説明していく。
【００２３】
先ず、エプロン本体２について説明する。エプロン本体２は、乳幼児の首に掛けて使用される布状の部材である。エプロン本体２は、乳幼児の首に掛けられた状態において、乳幼児の前面の一部を覆い乳幼児の前面を保護する。図２に、エプロン本体２の平面図を示す。図２に示すように、エプロン本体２は、乳幼児の首周りを覆う首周り領域１１と、乳幼児の胸乃至お腹周りを覆う胸周り領域１２と、を含んでいる。
【００２４】
首周領域１１には、乳幼児の首の形状に対応したくびれ部１１ａが形成され、このくびれ部１１ａの周りに乳幼児の首に掛け渡される帯状の一対の首掛け片１１ｂが位置している。一対の首掛け片１１ｂは、使用時に乳幼児の首の周りに掛け渡されてその先端を互いに連結される。本実施の形態において、各首掛け片１１ｂの先端に、面ファスナー１１ｃが設けられている。一対の首掛け片１１ｂを乳幼児の首の周りに掛け渡した状態で面ファスナー１１ｃを互いに接合することにより、エプロン本体２を乳幼児に装着させることができる。なお、一対の首掛け片１１ｂを連結する機構は、面ファスナー１１ｃに限定されない。一対の首掛け片１１ｂを連結する他の機構として、ボタン構造や紐の締結構造が挙げられる。
【００２５】
この首周り領域１１に胸周り領域１２が一体に繋がっている。図２に示すように、この胸周り領域１２には、ポケット３を取り付けるための一対の縦切込み１３が形成されている。一対の縦切込み１３は、エプロン本体２の横方向ｄ２に間隔を空けて配置されている。
【００２６】
図２に示すように、各縦切込み１３の延びる方向は、エプロン本体２の横方向ｄ２よりも縦方向ｄ１となす角度が小さくなるように形成されている。本実施の形態において、各縦切込み１３は、エプロン本体２の縦方向ｄ１に沿って形成されている。なお、本明細書中において、「エプロン本体２の縦方向ｄ１」とは、平面状に引き延ばした状態でのエプロン本体２の表面１０ａに平行な面内において、エプロン本体２とポケット３との並ぶ方向をいう。つまり、「縦方向ｄ１」とは、図２における紙面の上と下とを結ぶ方向に相当する。一方、「エプロン本体２の横方向ｄ２」とは、平面状に引き延ばした状態でのエプロン本体２の表面１０ａに平行な面内において、縦方向ｄ１に直交する方向をいう。つまり、「横方向ｄ２」とは、図２における紙面の左と右とを結ぶ方向に相当する。使用状態において縦方向ｄ１が鉛直方向と一致する場合、横方向ｄ２は水平方向と一致する。
【００２７】
図３に、エプロン本体２の層構成を示す。図３に示すように、エプロン本体２は、表生地１４と、裏生地１５と、表生地１４及び裏生地１５の周縁を覆うバイアステープ１６と、を含んでいる。上述のように、エプロン本体２がスタイ乃至よだれ掛けとして使用される場合には、乳幼児が自由に動き回れるよう、エプロン本体２は柔軟な素材で構成されているのがよい。そこで、本実施の形態では、各生地１４〜１６として、合成繊維、半合成繊維あるいは天然繊維を編み込んだ織布を採用している。これらの織布は、使用する乳幼児に快適な肌触り及び付け心地を提供し、乳幼児が自由に動き回ることを容易にさせる。ただし、各生地１４〜１６をなす素材は、このような例に限定されず、やや硬質の樹脂材料からなってもよいし、シリコンや天然ゴム等からなってもよい。
【００２８】
表生地１４は、使用状態において外方に面し、食事中の食べこぼしや日常活動中の唾液を受ける生地として機能する。エプロン本体２が食事による汚れに優れた耐性を示すためには、エプロン本体２の表面側が油によって汚れ難くなっているのがよい。その一方で、エプロン本体２がスタイ乃至よだれ掛けとして唾液を吸収するためには、エプロン本体２の表面側が親水性を呈する必要がある。そこで、このような要求を満たすべく、表生地１４の表面１４ａにＳＲ（ソイルリリース）加工が施されている。
【００２９】
ＳＲ加工とは、生地の表面に付着した汚れを落としやすくする加工をいう。ＳＲ加工においては、汚れが繊維と繊維との間や繊維表面の凹凸乃至しわに、ファンデルワールス力、クーロン力あるいはイオン結合力の作用で入り込むことに着目し、汚れを落とすためにはこられの力を解放すればよいという知見に基づいている。本実施の形態では、エプロン本体２の洗浄時に、洗浄液に汚れを解放し易くし且つ解放された汚れが再び衣類に付着することを妨げるＳＲ加工剤１７を用いている。
【００３０】
ＳＲ加工剤１７は、表生地１４の表面１４ａに付与され、当該表生地１４の表面１４ａと共にエプロン本体２の表面１０ａを構成している。典型的なＳＲ加工剤１７としては、洗浄液への汚れの落ちやすさ及び衣類への再付着の抑制を主として目的とした親水タイプのものが挙げられる。
【００３１】
親水タイプのＳＲ加工剤１７として、生地をなす繊維の表面を親水化して改質するタイプのもの、あるいは、生地をなす繊維自身を親水化して改質するタイプのものが挙げられる。このうち、表面を親水化して改質するタイプのものとしては、吸水加工剤、具体的には、例えばポリエチレングリコールとポリエチレンテレフタレートのブロック共重合物である親水性ポリエステル樹脂が挙げられる。吸水加工剤の一例として、ＩＣＩ社のＰｅｒｍａｌｏｓｅＴＭ、あるいは、高松油脂社のＳＲ剤シリーズなどが挙げられる。
【００３２】
一例として、ＳＲ加工剤１７は、加工コストや性能のバランスを考慮して、表生地１４の質量に対し０．１〜６．０質量％程度付与され得る。
【００３３】
次に、表生地１４の裏面１４ｂに対面して位置する裏生地１５について説明する。裏生地１５は、使用状態において乳幼児に面する。裏生地１５は、乳幼児への快適な肌触り及び付け心地と共に、表生地１４が吸収した水分が裏生地１５の裏面１５ｂから乳幼児の衣服に染み込んでいくことを妨げることが期待されている。そこで、本実施の形態では、裏生地１５の裏面１５ｂに、撥水処理が施されている。
【００３４】
撥水処理とは、生地の外面において水をはじく機能を高める処理をいう。典型的には、撥水処理には、シリコーン系、テフロン（登録商標）系、パラフィンワックス系などの種々の防水・撥水剤が用いられる。また、撥水処理は、裏生地１５の裏面１５ｂだけでなく、裏生地１５の表面１５ａにも施してもよい。
【００３５】
撥水処理された裏生地１５の裏面１５ｂは、エプロン本体２の裏面１０ｂを構成している。裏生地１５の裏面１５ｂに撥水処理を施すことで、エプロン本体２の裏面１０ｂの疎水性も高まる。したがって、本実施の形態では、エプロン本体２の裏面１０ｂは、エプロン本体２の表面１０ａよりも親水性が低くなっている。
【００３６】
このような表生地１４及び裏生地１５の周縁をバイアステープ１６が覆っている。図３に示す例では、表生地１４、裏生地１５及びバイアステープ１６を共に縫い付けることによって、これらを固定している。
【００３７】
次に、エプロン本体２に着脱自在に取り付けられるポケット３について説明する。ポケット３は、食事中に乳幼児による食べこぼしを受け留めるためのものである。図４に、ポケット３の平面図を示し、図５に、ポケット３の正面図を示す。図４及び図５に示すように、ポケット３は、ポケット部２０と、ポケット部２０に保持されたボタン部３０と、を有し、これらは一体に成形されている。
【００３８】
ポケット部２０は、食事中に乳幼児による食べこぼしを受け留めるための器として機能する。図４及び図５に示すように、ポケット部２０は、横方向ｄ２に長手軸をもつ上方に開口した器を乳幼児のお腹の形状に合わせて湾曲させたような形状をもつ。図４及び図５に示すポケット部２０は、後壁２１と、前壁２２と、一対の側壁２３、２４と、底壁２５と、を含んでいる。後壁２１と、前壁２２と、一対の側壁２３、２４と、底壁２５と、によって囲まれる空間に、乳幼児による食べこぼしを受け留めるための受け留め空間Ｓが規定されている。
【００３９】
後壁２１は、ボタン部３０を保持し、使用状態において乳幼児のお腹に対面する。後壁２１のボタン部３０を保持する機構については、後述する。一方、前壁２２は、後壁２１と間隔を空けて対向し、使用状態において後壁２１よりも乳幼児の前方となる位置に位置する。図５から理解されるように、前壁２２の高さ（エプロン本体２にポケット３を取り付けた状態での縦方向ｄ１の長さ）は、後壁２１の高さよりも低い。
【００４０】
一対の側壁２３、２４は、横方向ｄ２に間隔を空けて互いに対向している。各側壁２３、２４は、それぞれ、後壁２１及び前壁２２の横方向ｄ２における端部の間を連結している。一方、底壁２５は、後壁２１、前壁２２及び一対の側壁２３、２４の下端に接続され、受け留め空間Ｓの底を規定する。
【００４１】
このようなポケット部２０にボタン部３０が一体に成形されている。図５に示すように、一対のボタン部３０は、横方向ｄ２に間隔を空けて配置されている。この一対のボタン部３０の間隔は、一対の縦切込み１３の間隔に対応する。各ボタン部３０は、円盤状の形状をもち、後壁２１の前方で当該後壁２１と間隔を空けながら対面している。なお、ボタン部３０の数は特に限定されない。エプロン本体２にポケット３をバランスよく取り付ける観点からは、少なくとも２つのボタン部３０が、横方向ｄ２に間隔を空けて配置されているのがよい。
【００４２】
ここで、図６乃至図８を参照してポケット部２０がボタン部３０を保持する構造についてさらに詳しく説明する。図６乃至図８は、それぞれ、ボタン部３０付近を拡大した斜視図、正面図及び背面図である。図６乃至図８に示すように、後壁２１のうちのボタン部３０を保持する部分２１ａは、当該後壁２１の他の部分よりも前壁２２から離間するように凹んでいる。そして、ボタン部３０は、後壁２１の凹んだ部分２１ａと連接片４０を介して連接されている。
【００４３】
連接片４０は、ボタン部３０と後壁２１の凹んだ部分２１ａとの間隔を保ちつつ、当該ボタン部３０を保持している。連接片４０は、長尺状の形状をもち、連接片４０の長手方向は、取付状態においてエプロン本体２の縦方向ｄ１に沿う。
【００４４】
本実施の形態において、後壁２１の凹んだ部分２１ａの一部が繰り抜かれて繰抜部２１ｂとして形成され、残りの部分がブリッジ片２１ｃとして周囲の後壁２１に掛け渡されている。繰抜部２１ｂは、ポケット部２０と一体成形されるボタン部３０の成形性を確保するために設けられている。すなわち、繰抜部２１ｂは、ボタン部３０を成形するための型が出入りするための空間を提供する。
【００４５】
図８から理解されるように、ボタン部３０の一部は、繰抜部２１ｂと対面しており、当該繰抜部２１ｂと対面する部分についてのボタン部３０の剛性を確保することが難しい。そこで、本実施の形態では、図８に示すように、連接片４０が、ボタン部３０の繰抜部２１ｂに対面する位置まで延びて当該ボタン部３０と接続している。これにより、ボタン部３０の繰抜部２１ｂと対面する部分を補強することができる。とりわけ、本実施の形態の連接片４０は、ブリッジ片２１ｃから繰抜部２１ｂを超えて繰抜部２１ｂを囲む後壁２１の壁面２１ｗまで到達している。すなわち、連接片４０は、繰抜部２１ｂを横断するようにして、その両端部４１、４２で後壁２１に接続している。この場合、連接片４０が後壁２１によって両もちで支えられるため、連接片４０をさらに強化することができる。
【００４６】
本実施の形態において、ポケット部２０とボタン部３０と連接片４０とは、一体に成形されている。このため、ボタン部３０をポケット部２０の後壁２１にさらに安定して保持させることが可能となる。一例として、一体に成形されたポケット部２０をなす材料として、ポリエチレン、ポリプロピレンあるいはＡＢＳ樹脂（アクリロニトリル−ブタジエン−スチレン共重合合成樹脂）に代表される熱可塑性樹脂が挙げられる。
【００４７】
次に、以上のような構成からなる本実施の形態の作用について説明する。
【００４８】
先ず、乳幼児が食事をするときには、エプロン本体２の各縦切込み１３に、対応するポケット３のボタン部３０を挿入する。図９に、ボタン部３０が縦切込み１３を通過した位置まで挿入された状態でのボタン部３０の断面を示す。図９に示すように、ボタン部３０が縦切込み１３を通過した位置まで挿入されると、ボタン部３０と後壁２１との間にエプロン本体２が挟まれ、且つ、連接片４０が縦切込み１３内に挿入された状態となる。これにより、ボタン部３０がエプロン本体２に係止される。
【００４９】
エプロン本体２にポケット３を取り付けた後、エプロン本体２を乳幼児の首に掛けて食事が始められる。乳幼児の食事中は、エプロン本体２で乳幼児の前面を食事による汚れから保護しつつ、ポケット３で食べこぼしが受け留められる。とりわけ、本実施の形態のエプロン本体２の表面１０ａは、ＳＲ加工剤１７が付与されて親水性を示すと共に、エプロン本体２の裏面１０ｂには、撥水処理が施されている。ＳＲ加工剤１７が表面１０ａに付与されることにより、乳幼児の食事中にエプロン本体２の表面１０ａに油を含んだ食品が付着しても洗い落とし易くなっている。また、水分を多く含んだ飲料をこぼした場合であっても、親水性を示すエプロン本体２の表面１０ａから吸収することができる。その一方で、エプロン本体２の裏面１０ｂに撥水処理が施されていることから、吸収した飲料がエプロン本体２の裏面１０ｂから乳幼児の衣服に染み出すことは有効に妨げられる。
【００５０】
食事が終わり、エプロン本体２に付着した食事による汚れが目立つ場合には、エプロン本体２を水洗いする。上述のように、エプロン本体２の表面１０ａにＳＲ加工が施されているため、付着した汚れが容易に洗浄液に解き放たれ、且つ、解き放たれた汚れが再び衣類に付着することが妨げられる。これにより、エプロン本体２の表面１０ａに付着した汚れを容易に落とすことが可能となる。
【００５１】
なお、汚れたエプロン本体２を交換してポケット取外式エプロン１を有効に活用する観点から、１つのポケット３に対して複数のエプロン本体２を準備してもよい。すなわち、複数のエプロン本体２と、１つのポケット３と、をセットにしたポケット取外式エプロンユニットとして販売されていてもよい。この場合、各エプロン本体２毎に、材質やデザインを変更することで、ポケット取外式エプロンユニットに多様な機能を付与することができる。
【００５２】
一方、非食事中の日常の活動においては、エプロン本体２からポケット３を取り外し、ポケット３を取り外した状態でエプロン本体２を乳幼児の首に掛ける。これにより、エプロン本体２をスタイ乃至よだれ掛けとして使用することができる。上述のように、エプロン本体２の表面１０ａは、親水性を示すため、乳幼児の唾液をエプロン本体２の表面１０ａから吸収することができる。その一方で、エプロン本体２の裏面１０ｂには撥水処理が施されていることから、吸収した唾液がエプロン本体２の裏面１０ｂから乳幼児の衣服に染み出すことは有効に妨げられる。
【００５３】
以上のように、本実施の形態によれば、縦切込み１３が形成されたエプロン本体２と、エプロン本体２の縦切込み１３に挿入されるボタン部３０、及び、ボタン部３０に接続され、当該ボタン部３０を介してエプロン本体２に取り付けられるポケット部２０を有するポケット３と、を備え、ポケット３のボタン部３０とポケット部２０とは、一体に成形されている。ボタン部３０を用いた取り付け構造は、エプロン本体２が柔軟な素材からなる場合であっても、エプロン本体２でポケット３の自重を安定して支えることに適している。とりわけ、エプロン本体２に形成された切込み１３は、縦切込みである。縦切込み１３によれば、エプロン本体２の縦方向ｄ１への剛性を確保しつつエプロン本体２にポケット３を取り付けることができる。また、ボタン部３０は、ポケット部２０と一体に成形されているため、当該ポケット部２０に高い剛性を保ちつつ保持される。これらのことから、エプロン本体２の縦切込み１３に、ポケット部２０と一体のボタン部３０を挿入する構造を採用することで、エプロン本体２でポケット３の自重を十分に安定して支えることが可能となる。
【００５４】
また、ボタン部３０がポケット部２０と一体に成形されているため、ボタンが外れて紛失するおそれがない。さらには、外れたボタンを誤飲するといった事故をも防止することができる。
【００５５】
また、本実施の形態によれば、ポケット部２０は、ボタン部３０を保持する後壁２１と、後壁２１に対向し当該後壁２１との間で受け留め空間Ｓを形成する前壁２２と、を有し、後壁２１のボタン部３０を保持する部分２１ａは、当該後壁２１の他の部分よりも前壁２２から離間するように凹んでいる。このような形態によれば、後壁２１のボタン部３０を保持する部分２１ａが他の部分よりも凹んでいるため、ボタン部３０が後壁２１から前方に突出することを抑制することができる。
【００５６】
また、本実施の形態によれば、ポケット３は、ボタン部３０及びポケット部２０と一体に成形され、ボタン部３０とポケット部２０の後壁２１とを連接する連接片４０をさらに有し、ボタン部３０がエプロン本体２の縦切込み１３を通過した位置まで挿入されると、ボタン部３０と後壁２１との間にエプロン本体２が挟まれ、且つ、連接片４０が縦切込み１３内に位置する。このような形態によれば、エプロン本体２にポケット３を取り付けた状態において、連接片４０が縦切込み１３内でエプロン本体２に係止される。連接片４０が縦切込み１３内でエプロン本体２に係止されることにより、ポケット３がエプロン本体２に対して堅固に保持される。このため、エプロン本体２でポケット３の自重をさらに安定して支えることが可能となる。
【００５７】
また、本実施の形態によれば、後壁２１のうちのボタン部３０と対面する領域の一部が繰り抜かれて繰抜部２１ｂとして形成されている。後壁２１に繰抜部２１ｂを形成した場合、ボタン部３０の繰抜部２１ｂに対面する部分の剛性を確保することが困難となり得る。この点、本実施の形態によれば、連接片４０が、ボタン部３０の繰抜部２１ｂに対面する位置まで延びて当該ボタン部３０と接続している。これにより、ボタン部３０の繰抜部２１ｂに対面する部分の剛性の低下を、連接片４０によって補償することができる。結果として、ボタン部３０の剛性を確保し、エプロン本体２でポケット３の自重を安定して支え
ることが可能となる。このような効果をより強化する観点から、連接片４０は、繰抜部２１ｂを横断して両端部４１、４２で後壁２１に接続している。この場合、連接片４０が後壁２１によって両もちで支えられるため、連接片４０をさらに強化することができる。
【００５８】
また、本実施の形態によれば、エプロン本体２は、当該エプロン本体２の表面１０ａ及び裏面１０ｂのうちの表面１０ａ側に付与されたＳＲ加工剤１７を含み、エプロン本体２の表面１０ａは、エプロン本体２の裏面１０ｂよりも親水性が高い。表面１０ａにＳＲ加工剤１７が付与されることにより、乳幼児の食事中にエプロン本体２の表面１０ａに油を含んだ食品が付着しても容易に洗い落とすことができる。また、水分を多く含んだ飲料をこぼした場合であっても、親水性を示すエプロン本体２の表面１０ａから吸収することができる。その一方で、エプロン本体２の裏面１０ｂは表面１０ａよりも親水性が低いことから、吸収した飲料がエプロン本体２の裏面１０ｂから乳幼児の衣服に染み出すことは有効に妨げられる。このため、本発明によるポケット取外式エプロン１は、乳幼児の食事中に食品による汚れから保護する用途に適している。
一方、非食事中の日常の活動においては、ポケット３が取り外されたエプロン本体２がスタイ乃至よだれ掛けとして機能する。この場合、乳幼児の唾液がエプロン本体２に付着しても、親水性を示すエプロン本体２の表面１０ａから吸収することができる。その一方で、エプロン本体２の裏面１０ｂは表面１０ａよりも親水性が低いことから、吸収した唾液がエプロン本体２の裏面１０ｂから乳幼児の衣服に染み出すことは有効に妨げられる。このため、本発明によるポケット取外式エプロン１は、日常の活動中に唾液による汚れから保護する用途にも適している。
これらの結果、本実施の形態のポケット取外式エプロン１は、食事中のエプロンとしても、非食事中のスタイ乃至よだれかけとしても、両方の用途に適用することが可能である。
【００５９】
とりわけ、エプロンとしての使用、及び、非食事中のスタイ乃至よだれかけとしての使用の両方への適用をさらに効果的に実現する観点から、エプロン本体２は、表生地１４と裏生地１５とを有し、表生地１４の表面１４ａに、ＳＲ加工剤１７が付与されていて、裏生地１５の裏面１５ｂに、撥水処理が施されていることが好ましい。エプロン本体２が表生地１４と裏生地１５とを含むことで、さらに効果的に水分を吸収することも可能となる。
【００６０】
また、本実施の形態によれば、エプロン本体２と、エプロン本体２に取り外し自在に取り付けられたポケット３と、を備え、エプロン本体２は、表生地１４と裏生地１５とを有し、表生地１４の表面１４ａに、ＳＲ加工剤１７が付与され、ＳＲ加工剤１７と表生地１４の表面１４ａとにより構成されるエプロン本体２の表面１０ａは、エプロン本体２の裏面１０ｂよりも親水性が高い、というポケット取外式エプロン１も実現される。表面１０ａにＳＲ加工剤１７が付与されることにより、乳幼児の食事中にエプロン本体２の表面１０ａに油を含んだ食品が付着しても容易に洗い落とすことができる。また、水分を多く含んだ飲料をこぼした場合であっても、親水性を示すエプロン本体２の表面１０ａから吸収することができる。その一方で、エプロン本体２の裏面１０ｂは表面１０ａよりも親水性が低いことから、吸収した飲料がエプロン本体２の裏面１０ｂから乳幼児の衣服に染み出すことは有効に妨げられる。このため、本発明によるポケット取外式エプロン１は、乳幼児の食事中に食品による汚れから保護する用途に適している。
一方、非食事中の日常の活動においては、ポケット３が取り外されたエプロン本体２がスタイ乃至よだれ掛けとして機能する。この場合、乳幼児の唾液がエプロン本体２に付着しても、親水性を示すエプロン本体２の表面１０ａから吸収することができる。その一方で、エプロン本体２の裏面１０ｂは表面１０ａよりも親水性が低いことから、吸収した唾液がエプロン本体２の裏面１０ｂから乳幼児の衣服に染み出すことは有効に妨げられる。このため、本発明によるポケット取外式エプロン１は、日常の活動中に唾液による汚れから保護する用途にも適している。
これらの結果、本実施の形態のポケット取外式エプロン１は、食事中のエプロンとしても、非食事中のスタイ乃至よだれかけとしても、両方の用途に適用することが可能である。
【符号の説明】
【００６１】
１    ポケット取外式エプロン
２    エプロン本体
３    ポケット
１０ａ  エプロン本体の表面
１０ｂ  エプロン本体の裏面
１３  縦切込み
１４  表生地
１４ａ  表生地の表面
１４ｂ  表生地の裏面
１５  裏生地
１５ａ  裏生地の表面
１５  裏生地の裏面
１７  ＳＲ加工剤
２０  ポケット部
２１  後壁
２１ａ  凹んだ部分
２１ｂ  繰抜部
２２  前壁
３０  ボタン部
４０  連接片
４１、４２  連接片の端部
ｄ１  縦方向
ｄ２  横方向
Ｓ  受け留め空間
【図１】
0006469440.tif 000002
【図２】
0006469440.tif 000003
【図３】
0006469440.tif 000004
【図４】
0006469440.tif 000005
【図５】
0006469440.tif 000006
【図６】
0006469440.tif 000007
【図７】
0006469440.tif 000008
【図８】
0006469440.tif 000009
【図９】
0006469440.tif 000010